(57)【要約】【課題】表示部の画像を、表示部を異なる角度から視聴する複数のユーザの全員に考慮した画像に画質調整することができる表示システムを提供する。【解決手段】ＣＰＵ１８１等は、複数の視聴者の視聴角度を予め登録し登録された複数の視聴者の各視聴角度に対応する画質調整値を、視聴者の視聴角度と、画質調整値とを対応付けて記憶する画質調整用データベース１８２２ａ〜１８２２ｉから取得し、取得した画質調整値の平均値に基づいて液晶表示部１２に表示する画像の画質調整を行う。また、制御部１８は、角度登録信号Ｓｇを出力する登録キー２２ａをリモートコントローラ２に備え、各視聴者の視聴角度において、リモートコントローラ２から発信される角度登録信号Ｓｇの複数の方位における受信強度を検出することにより複数の視聴者の視聴角度を特定する。【選択図】図２
2008180860.tif 000002
【特許請求の範囲】
【請求項１】
画像を表示する液晶表示部を備える本体部と、前記本体部を遠隔操作するリモートコントローラと、を備える表示システムにおいて、
複数の視聴者の視聴角度を予め登録する登録手段と、
視聴者の視聴角度と、画質調整値とを対応付けて記憶する画質調整用データベースを備え、前記登録手段により登録された前記複数の視聴者の各視聴角度に対応する画質調整値を前記画質調整用データベースから取得し、取得した画質調整値の平均値に基づいて前記液晶表示部に表示する前記画像の画質調整を行う画質調整手段と、
を備え、
前記登録手段は、
前記リモートコントローラに備えられ、視聴角度を登録するための角度登録信号を出力する登録キーと、
前記本体部に備えられ、当該リモートコントローラから発信される前記角度登録信号の複数の方位における受信強度を検出することにより、前記複数の視聴者の視聴角度を特定する特定手段と、
を備えることを特徴とする表示システム。
【請求項２】
画像を表示する表示部を備える表示システムにおいて、
複数の視聴者の視聴角度を予め登録する登録手段と、
前記登録手段により登録された前記複数の視聴者の視聴角度に基づいて、前記表示部に表示する前記画像の画質調整を行う画質調整手段と、
を備えることを特徴とする表示システム。
【請求項３】
前記画質調整手段は、
視聴者の視聴角度と、画質調整値とを対応付けて記憶する画質調整用データベースを備え、前記登録手段により登録された各視聴角度に対応する画質調整値を前記画質調整用データベースから取得し、取得した画質調整値の平均値に基づいて前記画像の画質調整を行うことを特徴とする請求項２に記載の表示システム。
【請求項４】
前記表示部を備える本体部と、前記本体部を遠隔操作するリモートコントローラと、を備え、
前記登録手段は、
前記リモートコントローラに備えられ、視聴角度を登録するための角度登録信号を出力する登録キーと、
前記本体部に備えられ、各視聴者の視聴角度において、当該リモートコントローラから発信される前記角度登録信号の複数の方位における受信強度を検出することにより、前記複数の視聴者の視聴角度を特定する特定手段と、
を備えることを特徴とする請求項２又は３に記載の表示システム。
【発明の詳細な説明】
【技術分野】
【０００１】
本発明は、表示部に表示される画像の画質調整を行う表示システムに関する。
【背景技術】
【０００２】
従来から、液晶ディスプレイに表示される画像を斜めから見ると、液晶ディスプレイの視野角特性により、画像の明るさ・色調・コントラスト等の画質が悪化してしまうという問題があった。
【０００３】
そこで、例えば、特許文献１では、映像信号を入力したときに、当該映像信号の映像の明暗に寄与する各画素データにおいて、同じ入力輝度レベルに対する出力輝度レベルを、液晶表示パネル内の基準画素からの距離が遠い画素ほど相対的に大きくなるように、かつ、測距受信部が検出した入射角度から算出したユーザと液晶表示パネルの相対位置から得られる視野角の範囲に適した量だけ調整することにより、液晶表示パネルの視野角特性に起因して生じる面内輝度差を補正する映像信号処理装置が提案されている。
【特許文献１】特開２００６−００５８２８号公報
【発明の開示】
【発明が解決しようとする課題】
【０００４】
しかしながら、上記特許文献１の技術は、ディスプレイを見ている一人のユーザを対象として画像の画質を調整するための技術であり、ディスプレイを複数のユーザが見ている場合に、全員のユーザを対象として画質を調整することはできないという問題があった。すなわち、複数のユーザがディスプレイを見ている場合に、一人のユーザに合わせて画質調整が行われると、他のユーザにとってはかえって見づらくなってしまう可能性がある。
【０００５】
本発明の課題は、表示部の画像を、表示部を異なる角度から視聴する複数のユーザの全員に考慮した画像に画質調整することができる表示システムを提供することである。
【課題を解決するための手段】
【０００６】
上記課題を解決するため、請求項１に記載の発明は、画像を表示する液晶表示部を備える本体部と、前記本体部を遠隔操作するリモートコントローラと、を備える表示システムにおいて、
複数の視聴者の視聴角度を予め登録する登録手段と、
視聴者の視聴角度と、画質調整値とを対応付けて記憶する画質調整用データベースを備え、前記登録手段により登録された前記複数の視聴者の各視聴角度に対応する画質調整値を前記画質調整用データベースから取得し、取得した画質調整値の平均値に基づいて前記液晶表示部に表示する前記画像の画質調整を行う画質調整手段と、
を備え、
前記登録手段は、
前記リモートコントローラに備えられ、視聴角度を登録するための角度登録信号を出力する登録キーと、
前記本体部に備えられ、当該リモートコントローラから発信される前記角度登録信号の複数の方位における受信強度を検出することにより、前記複数の視聴者の視聴角度を特定する特定手段と、
を備えることを特徴とする。
【０００７】
請求項２に記載の発明は、画像を表示する表示部を備える表示システムにおいて、
複数の視聴者の視聴角度を予め登録する登録手段と、
前記登録手段により登録された前記複数の視聴者の視聴角度に基づいて、前記表示部に表示する前記画像の画質調整を行う画質調整手段と、
を備えることを特徴とする。
【０００８】
請求項３に記載の発明は、請求項２に記載の表示システムにおいて、前記画質調整手段は、
視聴者の視聴角度と、画質調整値とを対応付けて記憶する画質調整用データベースを備え、前記登録手段により登録された各視聴角度に対応する画質調整値を前記画質調整用データベースから取得し、取得した画質調整値の平均値に基づいて前記画像の画質調整を行うことを特徴とする。
【０００９】
請求項４に記載の発明は、請求項２又は３に記載の表示システムにおいて、前記表示部を備える本体部と、前記本体部を遠隔操作するリモートコントローラと、を備え、
前記登録手段は、
前記リモートコントローラに備えられ、視聴角度を登録するための角度登録信号を出力する登録キーと、
前記本体部に備えられ、各視聴者の視聴角度において、当該リモートコントローラから発信される前記角度登録信号の複数の方位における受信強度を検出することにより、前記複数の視聴者の視聴角度を特定する特定手段と、
を備えることを特徴とする。
【発明の効果】
【００１０】
請求項１に記載の発明によれば、画像を表示する液晶表示部を備える本体部と、本体部を遠隔操作するリモートコントローラと、が備えられ、登録手段により、複数の視聴者の視聴角度が予め登録され、視聴者の視聴角度と、画質調整値とを対応付けて記憶する画質調整用データベースが備わり、画質調整手段により、登録手段により登録された複数の視聴者の各視聴角度に対応する画質調整値が画質調整用データベースから取得され、取得された画質調整値の平均値に基づいて液晶表示部に表示する画像の画質調整が行われる。また、登録手段により、視聴角度を登録するための角度登録信号を出力する登録キーがリモートコントローラに備えられるとともに、本体部に備えられた特定手段により、各視聴者の視聴角度において、リモートコントローラから発信される角度登録信号の複数の方位における受信強度を検出することにより、複数の視聴者の視聴角度が特定される。
したがって、予め登録された複数の視聴者の各視聴角度に応じて、液晶表示部の画像が画質調整されることとなって、液晶表示部の画像を、液晶表示部を異なる角度から視聴する複数のユーザの全員に考慮した画像に画質調整することができる表示システムを提供することができる。また、予め備わる画質調整用データベースに基づいて画質調整が行われることとなって、複雑な演算処理等によることなく、簡便な方法で画質調整を行うことができる。さらに、リモートコントローラから発信される角度登録信号に基づいて視聴角度の特定が行われるため、各視聴者の視聴角度を正確且つ容易に登録することができる。
【００１１】
請求項２に記載の発明によれば、画像を表示する表示部が備えられ、登録手段により、複数の視聴者の視聴角度が予め登録され、画質調整手段により、登録手段により登録された複数の視聴者の視聴角度に基づいて、表示部に表示される画像の画質調整が行われる。
したがって、予め登録された複数の視聴者の各視聴角度に応じて、表示部の画像が画質調整されることとなって、表示部の画像を、表示部を異なる角度から視聴する複数のユーザの全員に考慮した画像に画質調整することができる表示システムを提供することができる。
【００１２】
請求項３に記載の発明によれば、請求項２に記載の発明の効果が得られるのは無論のこと、画質調整手段により、視聴者の視聴角度と、画質調整値とを対応付けて記憶する画質調整用データベースが備えられ、登録手段により登録された各視聴角度に対応する画質調整値が画質調整用データベースから取得され、取得された画質調整値の平均値に基づいて画像の画質調整が行われる。
したがって、予め備わる画質調整用データベースに基づいて画質調整が行われることとなって、複雑な演算処理等によることなく、簡便な方法で画質調整を行うことができる。
【００１３】
請求項４に記載の発明によれば、請求項２又は３に記載の発明の効果が得られるのは無論のこと、表示部を備える本体部と、本体部を遠隔操作するリモートコントローラが備えられ、登録手段により、視聴角度を登録するための角度登録信号を出力する登録キーがリモートコントローラに備えられ、本体部に備えられ、各視聴者の視聴角度において、当該リモートコントローラから発信される角度登録信号の複数の方位における受信強度を検出することにより、複数の視聴者の視聴角度が特定される。
したがって、各視聴者の視聴角度を正確且つ容易に登録することができる。
【発明を実施するための最良の形態】
【００１４】
以下、本発明の実施の形態を、図面を参照しながら詳細に説明する。
本実施形態では、画像を表示する液晶表示部を備える表示システムについて説明する。
【００１５】
図１は、本実施形態における表示システム１００の全体構成を例示する図である。
本実施形態における表示システム１００は、例えば、液晶表示装置において実現されるシステムであり、図１に示すように、液晶表示部（表示部）１２を備える装置本体部（本体部）１と、この装置本体部１を遠隔操作するためのリモートコントローラ２と、を備えて構成されている。
【００１６】
まず、本表示システム１００を構成するリモートコントローラ２について説明する。図２は、本実施形態における表示システム１００の装置本体部１及びリモートコントローラ２の要部構成を例示するブロック図である。
本表示システム１００におけるリモートコントローラ（以下、リモコンと称する）２は、図２に示すように、制御部２１、キー操作部２２、発振部２３、赤外線ＬＥＤ（Light Emitting Diode）から成る発光部２４等を備えて構成される。
【００１７】
キー操作部２２は、ユーザが装置本体部１に対して各種指示を入力するための複数のキーを備えており、ユーザによるキーの押下操作がなされると、押下されたキーに対応する信号が制御部２１に出力される。そして、制御部２１による制御に基づいて、発振部２３等が動作することにより、キー操作部２２において押下されたキーに対応するリモコン信号が生成され、生成されたリモコン信号が発光部２４により出力される。
具体的には、キー操作部２２は、例えば、後述する登録プログラム１８３ａの実行において視聴者の視聴角度を登録するための角度登録信号Ｓｇを出力する登録キー２２ａの他、ディスプレイ１２ａに各種メニュー画面を表示させるためのメニューキー２２ｂ、入力を確定するための決定キー２２ｃ、入力を消去するためのクリアキー２２ｄ等を備え、さらに図示は省略するが、装置本体部１の電源をオン／オフするための電源キー、音量を調節するためのボリュームキー、チャンネルを変更するためのチャンネルキー、それぞれに「０」〜「９」の数字が割り当てられ、チャンネル番号等を入力するためのテンキー等を備えている。
当該キー操作部２２において、操作者により登録キー２２ａが押下されると、当該登録キー２２ａに対応する角度登録信号Ｓｇが生成され、発光部２４により発信されることとなる。
【００１８】
次に、本表示システム１００を構成する装置本体部１について説明する。
本表示システム１００における装置本体部１は、例えば、図２に示すように、放送信号を受信するアンテナ３と、アンテナ３により受信された放送信号から所定のチャンネルの放送信号を選局するチューナ４と、チューナ４により選局された放送信号を復調する復調部５と、復調部５により復調された放送信号を複数のストリームに分離するＴＳデコーダ６と、ＴＳデコーダ６により分離された放送信号を復号するビデオデコーダ７及びオーディオデコーダ８と、オーディオデコーダ８により復号された音声信号に対して所定の処理を行う音声処理部９と、音声処理部９により処理された音声信号を出力する音声出力部１０と、ビデオデコーダ７により復号された映像信号に対して所定の処理を行う映像処理部１１と、映像処理部１１により処理された映像信号を出力する液晶表示部１２と、液晶表示部１２を駆動するゲート線駆動部１３及びデータ線駆動部１４と、映像信号にＯＳＤデータを付加するＯＳＤ回路１５と、リモコン２から送信される信号を受信するリモコン信号受信部１６と、リモコン２から発信される角度登録信号Ｓｇを受信する角度検出センサ１７と、装置本体部１全体を統括制御する制御部１８と、等を備えており、各部は制御バス１９により接続されている。
【００１９】
アンテナ３は、例えば、屋外において所定の方向に向けて配置され、図示しないテレビジョン放送局等から発信される高周波（RF）のテレビジョン放送信号（RF信号）を受信する。
チューナ４は、例えば、図示は省略するが、高周波増幅回路と、局部発振回路及び混合回路から成る周波数変換回路と、を備えて構成されており、アンテナ３等により入力されたテレビジョン放送信号を、高周波増幅回路において増幅し、混合回路において局部発振回路から出力される局部発振信号と混合する。さらに、特定の周波数を選局するための制御部１８からの制御出力に応じて、特定周波数帯の中間周波信号（IF信号）を受信し、当該中間周波信号に所定の処理を行って復調部５に出力する。
復調部５は、例えば、制御部１８からの制御に基づいて、チューナ４から出力された中間周波信号に対してデジタル復調や誤り訂正などの処理を実行し、トランスポートストリーム（TS）を生成して、ＴＳデコーダ６に出力する。
【００２０】
ＴＳデコーダ６は、復調部５から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等のデータストリームに分離するとともに、当該ビデオストリームをビデオデコーダ７に、オーディオストリームをオーディオデコーダ８に出力し、さらに、ＰＳＩ／ＳＩ等のデータストリームを制御部１８等に供給する。
ビデオデコーダ７は、ＴＳデコーダ６から入力されたビデオストリームを復号し、逆ＤＣＴ変換や動き補償制御等を行い、映像データを生成して映像処理部１１に出力する。また、オーディオデコーダ８は、ＴＳデコーダ６から入力されたオーディオストリームを復号し、音声データを生成して音声処理部９に出力する。
【００２１】
音声処理部９は、オーディオデコーダ８から入力された音声データに対して、Ｄ／Ａ変換等の各種処理を行い、音声信号を生成して音声出力部１０に出力する。
音声出力部１０は、例えば、スピーカ１０ａ等を備え、音声処理部９から入力された音声信号に基づく音声を当該スピーカ１０ａにより出力させる。
【００２２】
映像処理部１１は、ビデオデコーダ７から入力された映像データに対して、画質調整処理を含む各種の映像処理を行い、映像信号を生成する。
具体的には、映像処理部１１は、図３に示すように、Ｙ／Ｃ分離回路１１１と、色復調回路１１２と、マトリクス回路１１３と、画質調整回路１１４と、スケーラ１１５等を備えて構成されている。
【００２３】
Ｙ／Ｃ分離回路１１１は、入力された映像データから輝度信号Ｙと色信号Ｃと分離して取り出す処理を行う。当該Ｙ／Ｃ分離回路１１１において分離される輝度信号Ｙはマトリクス回路１１３に出力され、一方、色信号Ｃは色復調回路１１２に供給される。
色復調回路１１２は、Ｙ／Ｃ分離回路１１１から入力された色信号Ｃを、Ｒ−Ｙ、Ｂ−Ｙの色差信号に復調して、マトリクス回路１１３に出力する。
マトリクス回路１１３は、輝度信号Ｙと、Ｒ−Ｙ、Ｂ−Ｙの色差信号とをマトリクスしてＲＧＢの三原色信号を生成する。
画質調整回路１１４は、ＲＧＢの各色信号に対して、制御部１８から出力される画質調整信号に基づく画質調整を行い、画質調整されたＲＧＢ信号をスケーラ１１５に出力する。当該画質調整回路１１４における画質調整については、後述の画質調整プログラム１８３ｂの説明において詳述する。
スケーラ１１５は、画質調整回路１１４から出力されるＲＧＢ信号に、ディスプレイ１２ａの画素数に合わせて画素数を変換するスケーリング処理を行い、後段に出力する。
【００２４】
液晶表示部１２は、例えば、液晶（LCD :Liquid Crystal Display）方式のディスプレイ１２ａを備え、映像処理部１１から入力された映像信号に基づく映像を当該ディスプレイ１２ａに表示させる。
液晶表示部１２に備わるディスプレイ１２ａは、図示は省略するが、ガラス基板と、このガラス基板に対して所定の間隔を隔てて配設された対向基板とを張り合わせ、これらガラス基板及び対向基板を２枚の偏光板で挟んだ構成となっており、ガラス基板と対向基板の間には液晶層が封入され、ガラス基板の背面側にはバックライトが配設されている。
ガラス基板の上には、複数の画素電極がマトリクス状に配設されており、当該画素電極に対向して、対向基板上に対向電極が形成されている。各画素電極は、これを駆動する薄膜トランジスタ（TFT: Thin Film Transistor）を、マトリクス状のゲート線及びデータ線と接続されるように配設されており、画素電極に供給された画素電極電圧と、対向電極に供給された対向電極電圧との電位差によって、画素電極と対向電極との間に封入された領域の液晶層が配列方向を変え、偏光板と配向膜とともに動作して、光を通過或いは遮断させる。
【００２５】
ゲート線駆動部１３は、液晶表示部１２におけるゲート線の各々の対応して設けられており、同一のゲート線上に連なる薄膜トランジスタをオンさせる電圧或いはオフさせる電圧をゲート線に供給する。
データ線駆動部１４は、液晶表示部１２におけるデータ線の各々に対応して設けられており、信号処理部から入力される映像データに応じた電圧を、ゲート線駆動部１３から出力される同期信号と同期してデータ線に出力する。
上述のこのような液晶表示部１２及び駆動部において、ゲート線駆動部１３により高電位の電圧を一のゲート線に供給するとともに、各データ線に、映像処理部１１から出力されるデータに応じた電圧値の電圧を供給し、これを、上のゲート線から下のゲート線まで順に繰り返すことにより、１フレーム分の画像がディスプレイ１２ａに表示されることとなる。
【００２６】
ＯＳＤ回路１５は、制御部１８からの指示出力に応じて、映像処理部１１から出力された映像信号に、図示しないＯＳＤデータを合成する処理を行う。
リモコン信号受信部１６は、リモコン２から送信された各種のリモコン信号を受信するとともに、受信したリモコン信号に復調・誤り訂正等の所定の処理を行って、制御部１８に出力する。
【００２７】
角度検出センサ１７は、例えば、装置本体部１の前面部に設けられ、後述する登録プログラム１８３ａの実行において、リモコン２の登録キー２２ａの押下操作に応じて発信された角度登録信号Ｓｇを受信し、複数の方位における角度登録信号Ｓｇの受信強度を検出することにより、角度発振信号Ｓｇを発信したリモコン２の位置である視聴者の視聴角度を検出する。
図４は、装置本体部１の前面部に備わる角度検出センサ１７の平面図である。角度検出センサ１７は、例えば、複数の赤外線受光センサ１７１がそれぞれ別の方位に向けて並べられて成り、それぞれの赤外線受光センサ１７１が、ある方位からの角度登録信号Ｓｇに対して高い指向性を有するように構成されている。例えば、角度検出センサ１７は、図４に示すように、１９個の赤外線受光センサ１７１ａ〜１７１ｓを備えて構成され、ディスプレイ１２ａを正面から視聴する角度を０度とした場合において、右側９０度（＋９０度）〜左側９０度（−９０度）の１８０度の範囲から発信される角度登録信号Ｓｇを、各赤外線受光センサ１７１ａ〜１７１ｓにより１０度毎に検出することができる。
このように構成された角度検出センサ１７では、ユーザにより、リモコン２がディスプレイ１２ａの方向に向けられた状態で登録キー２２ａが押下されると、登録キー２２ａの押下に基づいて発信された角度登録信号Ｓｇが、何れか１つ又は複数の赤外線受光センサ１７１により受信されることとなる。そして、角度登録信号Ｓｇを受信した赤外線受光センサ１７１の受信強度をそれぞれ検出し、検出した各赤外線受光センサ１７１の受信強度に基づいて、受信強度の最も高い赤外線受光センサ１７１の方位を視聴者の視聴角度として特定する。
【００２８】
制御部１８は、ＣＰＵ（Central Processing Unit）１８１、メモリ部１８２、ＲＯＭ（Read Only Memory）１８３等を備えて構成されている。
【００２９】
ＣＰＵ１８１は、装置本体部１の各部から入力された入力信号や、リモコン２等における各種キーの押下操作によってリモコン信号受信部１６を介して入力されたリモコン信号等に応じて、ＲＯＭ１８３に格納された各種プログラムを実行するとともに、実行にかかるプログラムに基づいて装置本体部１の各部に出力信号を出力することにより、表示システム１００の動作全般を統括制御する。
【００３０】
メモリ部１８２は、例えば、ＲＡＭ（Random Access Memory）等の揮発性メモリからなるワークエリア１８２１を備えており、ＣＰＵ１８１によって各種プログラムが実行される際に生じる処理結果や、入力されたデータ等をこのワークエリア１８２１に記憶させる。
【００３１】
また、メモリ部１８２は、ＥＰＲＯＭ（Erasable Programmable ROM）等の不揮発性メモリからなるデータエリア１８２２を備えている。データエリア１８２２は、例えば、各視聴角度における他の視聴角度での画質調整値をそれぞれ記憶する複数の画質調整用データベース１８２２ａ〜１８２２ｉを記憶している。
【００３２】
画質調整用データベース１８２２ａ〜１８２２ｉのそれぞれは、９０度（左側／右側）〜１０度（左側／右側）の各視聴角度に対応して設けられており、例えば、各視聴角度を視聴位置とした場合における他の視聴角度の各々に、ＲＧＢの各信号に演算するための画質調整値を対応付けて記憶する。
具体的には、画質調整用データベース１８２２ａ〜１８２２ｉは、例えば、右側／左側９０度〜右側／左側１０度における１０度毎の視聴角度に対応して、９つ用意されている。当該画質調整用データベース１８２２ａ〜１８２２ｉの各々は、一の視聴角度に視聴者が存在する際において、右側／左側９０度〜右側／左側１０度内の他の視聴角度でのＲＧＢの各信号の画質調整値を記憶するものである。
当該画質調整用データベース１８２２ａ〜１８２２ｉには、例えば、各視聴位置における画質の実測値に基づいて作成されたものが用いられる。例えば、図５（ａ）に例示する画質調整用データベース１８２２ａは、右側９０度及び左側９０度の視聴角度に対応して設けられたものであり、また、図５（ｂ）に例示する画質調整用データベース１８２２ｉは、左側１０度及び右側１０度の視聴角度に対応して設けられたものである。
さらに、各画質調整用データベース１８２２ａ〜１８２２ｉは、液晶表示部１２におけるバックライトの出力を調整するための調整値を、右側／左側９０度〜右側／左側１０度内の他の視聴角度毎に記憶している。
【００３３】
ＲＯＭ１８３は、例えば、不揮発性メモリから成るプログラム格納エリアを有しており、具体的には、登録プログラム１８３ａと、画質調整プログラム１８３ｂを格納している。
【００３４】
登録プログラム１８３ａは、例えば、ＣＰＵ１８１に、登録キー２２ａの押下操作に応じてリモコン２から発信される角度登録信号Ｓｇにより、複数の視聴者の視聴角度を特定し、当該複数の視聴者の視聴角度を予め登録する機能を実現させるためのプログラムである。
具体的には、ユーザによるリモコン２におけるメニューキー等のキー操作により、視聴角度登録画面の表示を指示するリモコン信号が、リモコン信号受信部１６により受信されて制御部１８に入力されると、ＣＰＵ１８１は、メモリ部１８２の所定の領域に記憶された視聴角度登録画面用のＯＳＤデータ（図示省略）を読み出し、当該ＯＳＤデータをＯＳＤ回路１５により液晶表示部１２に出力される映像データに付加することにより、液晶表示部１２のディスプレイ１２ａに視聴角度登録画面を表示させる。
【００３５】
図６は、液晶表示部１２のディスプレイ１２ａに表示される視聴角度登録画面を例示する図である。
視聴角度の登録処理では、視聴者は、まず、図６（ａ）の視聴角度登録画面において、視聴角度を登録する視聴者を選択する。すると、図６（ｂ）に示すように、ディスプレイ１２ａにおいて、「リモコンを画面に向けながら登録キーを押してください」等の登録キー２２ａの押下を促す表示がなされる。この表示に従って、視聴者が、リモコン２をディスプレイ１２ａの方向に向けながら、キー操作部２２の登録キー２２ａを押下すると、当該登録キー２２ａの押下に基づいて角度登録信号Ｓｇが生成されて発光部２４により発信され、装置本体部１の前面部に設けられた角度検出センサ１７を構成する複数の赤外線受光センサ１７１のうち、１つ又は複数の赤外線受光センサ１７１により当該角度登録信号Ｓｇが受信されることとなる。
リモコン２から発信された角度登録信号Ｓｇが、角度検出センサ１７において受信されると、次に、ＣＰＵ１８１は、角度検出センサ１７のそれぞれの赤外線受光センサ１７１における角度登録信号Ｓｇの受信強度を検出し、検出した受信強度が最も高い赤外線受光センサ１７１の向けられた方位を、角度登録信号Ｓｇの発信元であるとして視聴者の視聴角度として特定し、特定した視聴角度をメモリ部１８２等の所定の領域に一時的に記憶して登録する。
【００３６】
また、ＣＰＵ１８１は、角度登録信号Ｓｇに基づいて特定した視聴者の視聴角度を登録すると、図６（ｃ）に示すように、液晶表示部１２のディスプレイ１２ａに当該視聴者の視聴角度を登録が完了した旨を報知する表示を行い、視聴者のキー操作に応じて、別の視聴者の視聴角度の登録処理へ移行し、或いは、視聴者全員の視聴角度の登録処理を終了する。
ＣＰＵ１８１は、かかる画質調整プログラム１８３ｂを実行することにより、登録キー２２ａとともに登録手段、特定手段として機能する。
【００３７】
画質調整プログラム１８３ｂは、例えば、ＣＰＵ１８１に、登録プログラム１８３ａの実行により登録された複数の視聴者の視聴角度に対応する画質調整値を、視聴者の視聴角度と画質調整値とを対応付けて記憶する画質調整用データベース１８２２ａ〜１８２２ｉから取得し、取得した画質調整値の平均値に基づいて液晶表示部１２に表示する画像の画質調整を行う機能を実現させるためのプログラムである。
具体的には、ＣＰＵ１８１は、登録プログラム１８３ａの実行により複数の視聴者の視聴角度が登録され、ユーザのキー操作に応じて登録処理が終了すると、メモリ部１８２の所定の領域に一時的に記憶させた複数の視聴者の各視聴角度を読み出す。そして、複数の視聴者の間に存在する一又は複数の他の視聴角度を特定し、特定した視聴角度に対応する画質調整用データベース１８２２ａ〜１８２２ｉをそれぞれ参照し、各画質調整用データベース１８２２ａ〜１８２２ｉにおいて、登録された複数の視聴角度の各々に対応付けられた画質調整値を読み出し、読み出した画質調整値をＲＧＢ信号毎に平均化する。更に、複数の視聴者の間に複数の視聴角度が存在する場合には、当該複数の視聴角度毎に画質調整用データベース１８２２ａ〜１８２２ｉから算出された平均値のうちの最も大きい値に基づいて、画質調整回路１１４における各ＲＧＢ信号に演算する処理を行い、画質調整を行う。
すると、液晶表示部１２のディスプレイ１２ａに、視聴する複数の視聴者の全員に考慮した画質調整が施された画像が表示されることとなる。
ＣＰＵ１８１は、かかる画質調整プログラム１８３ｂを実行することにより、画質調整手段として機能する。
【００３８】
ここで、例えば、図７を参照しながら、視聴者Ａと視聴者Ｂの２人を対象として画質調整処理を行う場合について説明する。
まず、視聴者は、１人目の視聴者Ａが視聴する位置から、装置本体部１のディスプレイ１２ａにリモコン２を向けながら、登録キー２２ａを押下操作する。すると、リモコン２において、登録キー２２ａの押下に基づく角度登録信号Ｓｇが発信され、これが装置本体部１の前面部に設けられた角度検出センサ１７に受信される。角度検出センサ１７において角度登録信号Ｓｇが受信されると、ＣＰＵ１８１は、角度検出センサ１７を構成する赤外線受光センサ１７１の各々における角度登録信号Ｓｇの受信強度に基づいて、受信強度の最も高い赤外線受光センサ１７１ｍを検出する。そして、当該赤外線受光センサ１７１ｍの方位に基づいて、視聴者Ａの視聴角度を左側３０度（−３０度）と特定し、特定した視聴角度を所定の領域に一時的に記憶させて登録する。
次に、視聴者は、２人目の視聴者Ｂが視聴する位置から、装置本体部１のディスプレイ１２ａにリモコン２を向けながら、登録キー２２ａを押下操作して角度登録信号Ｓｇを発信させ、これを装置本体部１の前面部に設けられた角度検出センサ１７に受信させる。すると、ＣＰＵ１８１は、角度検出センサ１７を構成する赤外線受光センサ１７１の各々における角度登録信号Ｓｇの受信強度に基づいて、受信強度の最も高い赤外線受光センサ１７１ｄを検出する。そして、当該赤外線受光センサ１７１ｄの方位に基づいて、視聴者Ｂの視聴角度を右側６０度（＋６０度）と特定し、特定した視聴角度を所定の領域に一時的に記憶させて登録する。
【００３９】
ＣＰＵ１８１は、視聴者全員の視聴角度を登録すると、続いて、登録した複数の視聴角度の間に存在する他の視聴角度を特定する。なお、このとき、視聴角度の右側／左側は区別されずに数値のみが対象となる。すなわち、本例においては、３０度と６０度の間に存在する４０度及び５０度が、他の視聴角度として特定される。
次に、ＣＰＵ１８１は、特定した他の視聴角度である４０度に対応する画質調整用データベース１８２２ｆと、５０度に対応する画質調整用データベース１８２２ｅを参照し、それぞれの画質調整用データベース１８２２ｆ、１８２２ｅにおいて、登録された複数の視聴角度（３０度及び６０度）のそれぞれに対応付けられている画質調整値を読み出して、読み出した画質調整値の平均値を算出する。
更に、ＣＰＵ１８１は、視聴角度４０度に対応する画質調整用データベース１８２２ｆから算出した平均値と、視聴角度５０度に対応する画質調整用データベース１８２２ｅから算出した平均値を比較し、最も値の大きい平均値に基づく画質調整信号を画質調整回路１１４に出力する。
すると、画質調整回路１１４において、入力されるＲＧＢの各信号に対して、当該画質調整信号に基づく画質調整が行われ、画質調整された映像信号が液晶表示部１２に出力されることとなる。これにより、液晶表示部１２のディスプレイ１２ａには、左側３０度の視聴角度から視聴する視聴者Ａと、右側６０度の視聴角度から視聴する視聴者Ｂの両方を対象とする画質調整が行われた画像が表示されることとなる。
【００４０】
さらに、ＣＰＵ１８１は、上述した画質調整回路１１４における画質調整と同期して、登録した視聴角度に応じて画質調整用データベース１８２２ａ〜１８２２ｉから読み出した調整値に基づいて、図示しないバックライト制御部により、液晶表示部１２に備わるバックライトの明るさを調整する。
【００４１】
次に図８のフローチャートを参照しながら、本表示システム１００において行われる画質調整処理について説明する。
【００４２】
まず、ステップＳ１において、液晶表示部１２に表示される視聴角度登録画面において、視聴者により、視聴角度を登録する視聴者が選択される。次に、ステップＳ２において、視聴角度登録画面の表示に従って、視聴者が、登録したい視聴角度の位置からリモコン２をディスプレイ１２ａの方向に向けながら、キー操作部２２に備わる登録キー２２ａを押下すると、当該登録キー２２ａの押下操作に基づく角度登録信号Ｓｇがリモコン２から発信され、ステップＳ３において、装置本体部１の前面部に設けられた角度検出センサ１７において、リモコン２から発信される角度登録信号Ｓｇが受信される。ステップＳ４において、ＣＰＵ１８１は、角度検出センサ１７を構成する各赤外線受光センサ１７１の角度登録信号Ｓｇの受信強度をそれぞれ検出し、ステップＳ５において、各赤外線受光センサ１７１の受信強度が最も高い赤外線受光センサ１７１の方位を、視聴者の視聴角度として特定し、所定の領域に一時的に記憶させて登録する。ステップＳ６において、ＣＰＵ１８１は、ユーザのキー操作に基づいて、視聴者全員の視聴角度が登録済みであるか否かを判断し、視聴者全員の視聴角度が登録済みでないと判断すると（ステップＳ６；Ｎｏ）、ステップＳ１に戻って以上の処理を繰り返す。一方、ＣＰＵ１８１は、視聴者全員の視聴角度が登録済みであると判断すると（ステップＳ６；Ｙｅｓ）、ステップＳ７に進んで、登録済みの複数の視聴者の視聴角度のそれぞれに対応付けられたＲＧＢの各信号の画質調整値を、画質調整プログラム１８３ｂの説明において例示した方法を用いて、画質調整用データベース１８２２ａ〜１８２２ｉから取得する。さらに、ＣＰＵ１８１は、ステップＳ８において、画質調整用データベース１８２２ａ〜１８２２ｉから視聴角度毎に取得した画質調整値の平均値を算出し、ステップＳ９において、画質調整回路１１４に画質調整信号を出力することにより、算出した画質調整値の平均値に基づく画質調整処理を行って、本処理を終了する。
【００４３】
以上説明した本実施形態における表示システム１００によれば、画像を表示する液晶表示部１２を備える装置本体部１と、装置本体部１を遠隔操作するリモートコントローラ２と、が備えられ、ＣＰＵ１８１による登録プログラム１８３ａの実行により、複数の視聴者の視聴角度が予め登録され、視聴者の視聴角度と、画質調整値とを対応付けて記憶する画質調整用データベース１８２２ａ〜１８２２ｉが備わり、画質調整プログラム１８３ｂの実行により、登録プログラム１８３ａにより登録された複数の視聴者の各視聴角度に対応する画質調整値が画質調整用データベース１８２２ａ〜１８２２ｉから取得され、取得された画質調整値の平均値に基づいて液晶表示部１２に表示する画像の画質調整が行われる。また、視聴角度を登録するための角度登録信号Ｓｇを出力する登録キー２２ａがリモートコントローラ２に備えられるとともに、装置本体部１に備えられた登録プログラム１８３ａの実行により、リモートコントローラ２から発信される角度登録信号Ｓｇの複数の方位における受信強度を検出することにより、複数の視聴者の視聴角度が特定される。
したがって、予め登録された複数の視聴者の各視聴角度に応じて、液晶表示部１２の画像が画質調整されることとなって、液晶表示部１２の画像を、液晶表示部１２を異なる角度から視聴する複数のユーザの全員に考慮した画像に画質調整することができる表示システム１００を提供することができる。また、予め備わる画質調整用データベース１８２２ａ〜１８２２ｉに基づいて画質調整が行われることとなって、複雑な演算処理等によることなく、簡便な方法で画質調整を行うことができる。さらに、リモートコントローラ２から発信される角度登録信号Ｓｇに基づいて視聴角度の特定が行われるため、各視聴者の視聴角度を正確且つ容易に登録することができる。
【００４４】
なお、本発明は、上記実施の形態に限られることなく、本発明の趣旨を逸脱しない範囲において、種々の改良並びに設計の変更を行っても良い。
【００４５】
例えば、上記実施形態では、水平方向の視聴角度に基づいて画質調整を行う場合について説明したが、水平方向の角度に加えて垂直方向の視聴角度を検出し、水平方向及び垂直方向の視聴角度に基づいて画質調整を行う構成であっても良い。
具体的には、例えば、図９に示す角度検出センサでは、複数の赤外線受光センサが円状に並べられた構成となっており、各赤外線受光センサの角度登録信号Ｓｇの受信強度に基づいて、水平方向の視聴角度に加え、垂直方向の視聴角度を検出する。そして、水平方向及び垂直方向に対応する画質調整値を記憶する画質調整用データベース（図示省略）から画質調整値を読み出して、画質調整を行う。
【００４６】
また、例えば、画質調整は、各視聴角度での実測値に基づいて用意された画質調整用データベースに基づいて行う場合に限られず、所定の演算式に基づいて算出された画質調整値により行うものであっても良い。
また、角度検出センサ１７における２つの赤外線受光センサの受信強度が同じ場合には、例えば、各赤外線受光センサに対応する画質調整値を画質調整用データベース１８２２ａ〜１８２２ｉからそれぞれ読みだし、読み出した画質調整値の平均値を画質調整値としても良い。
また、上記実施形態で例示した画質調整用データベース１８２２ａ〜１８２２ｉを、ユーザの好みを反映させて設定する設定手段が設けられていても良い。
また、視聴角度の登録は、視聴する位置からリモコン２により角度登録信号Ｓｇを発信して行う場合に限られることなく、視聴者側を撮像した画像に基づいて視聴角度を登録する方法、ディスプレイ１２ａに表示されるＯＳＤ画面上で視聴者が角度を選択する方法、音声信号・超音波等を装置本体側で受信して登録する方法等の、様々な方法を適用することができる。
また、画質調整は、単純な平均値によるものに限られず、例えば、重み付け平均等により算出した値を用いても良い。
【図面の簡単な説明】
【００４７】
【図１】本実施形態における表示システムの全体構成を例示する図である。
【図２】本実施形態における表示システムの装置本体部及びリモートコントローラの要部構成を例示するブロック図である。
【図３】映像処理部の構成を例示するブロック図である。
【図４】装置本体部の前面部に備わる角度検出センサの平面図である。
【図５】本表示システムに備わる画質調整用データベースを例示する図である。
【図６】登録プログラムの実行において、ディスプレイに表示される視聴角度登録画面を示す図である。
【図７】登録プログラム及び画質調整プログラムの実行により行われる画質調整処理を説明するための図である。
【図８】本表示システムにおいて行われる画質調整処理を示すフローチャートである。
【図９】他の実施形態に備わる角度検出センサの正面図である。
【符号の説明】
【００４８】
１００      表示システム
１          装置本体部（本体部）
１２        液晶表示部（表示部）
１８１      ＣＰＵ（登録手段、特定手段、画質調整手段）
１８２２ａ〜１８２２ｉ  画質調整用データベース
１８３ａ    登録プログラム（登録手段、特定手段）
１８３ｂ    画質調整プログラム（画質調整手段）
２          リモートコントローラ
２２ａ      登録キー
【図１】
2008180860.tif 000003
【図２】
2008180860.tif 000004
【図３】
2008180860.tif 000005
【図４】
2008180860.tif 000006
【図５】
2008180860.tif 000007
【図６】
2008180860.tif 000008
【図７】
2008180860.tif 000009
【図８】
2008180860.tif 000010
【図９】
2008180860.tif 000011